(57)【要約】      （修正有）【課題】使用者がゴルフクラブを握ってボールを打撃するときに、優れた振動吸収効果および軽量化を図り、打球の心地を良くすること。【解決手段】グリップ・スリーブ１の外周には多数の窪み１３が設けてあり、グリップ・スリーブ１の外周面には外周スリーブ１５が設けてあり、前記外周スリーブの両端はグリップ・スリーブ１と相互に結合し固定されることにより、グリップ・スリーブ１と外周スリーブ１５との間にはエヤクッション構造が形成され、グリップは嵌め穴１８でゴルフシャフト２と結合し、これにより、ボールを打撃するときに発生する反力による振動が吸収され、効果的な振動吸収機能を有することを特徴とする。【選択図】図１
0003109086.tif 000002
【実用新案登録請求の範囲】
【請求項１】
グリップ・スリーブの外周には多数の窪みが設けてあり、前記グリップ・スリーブの外周面には外周スリーブが設けてあり、前記外周スリーブの両端は前記グリップ・スリーブと相互に結合し固定されることにより、前記グリップ・スリーブと外周スリーブとの間にはエヤクッション構造が形成され、前記グリップは嵌め穴でゴルフシャフトと結合し、これにより、ボールを打撃するときに発生する反力による振動が吸収され、効果的な振動吸収機能を有することを特徴とする、
ゴルフクラブのグリップ用エヤクッション式スリーブ。
【請求項２】
前記グリップ・スリーブの外周にある各窪みは半円形の気泡状を呈することを特徴とする、請求項１に記載のゴルフクラブのグリップ用エヤクッション式スリーブ。
【請求項３】
前記グリップ・スリーブの各窪みは、外周スリーブの厚さによって、直径と深さとが変更されることを特徴とする、請求項１に記載のゴルフクラブのグリップ用エヤクッション式スリーブ。
【請求項４】
前記グリップ・スリーブは、環状溝部がそれぞれ上下に形成され、前記窪みが環状溝部の間に排列され、且つ環状溝部の外周には外周スリーブが嵌めてあり、二つの環状溝部の間には使用者の物差指と親指とが握るための支持リングが形成され、これにより、使用者はボールをもっと強力に打撃することができることを特徴とする、請求項１に記載のゴルフクラブのグリップ用エヤクッション式スリーブ。
【請求項５】
前記グリップ・スリーブの環状溝部の間に設けた各窪みは、半円形の気泡状を呈することを特徴とする、請求項４に記載のゴルフクラブのグリップ用エヤクッション式スリーブ。
【請求項６】
前記グリップ・スリーブの環状溝部の間に設けた各窪みは、外周スリーブの厚さによって、直径と深さとが変更されることを特徴とする、請求項４に記載のゴルフクラブのグリップ用エヤクッション式スリーブ。
【考案の詳細な説明】
【技術分野】
【０００１】
本考案はゴルフクラブのグリップ用エヤクッション式スリーブに係り、特に使用者がゴルフクラブを握ってボールを打撃するときには、優れた振動吸収効果により、打球の心地が良くなる、ゴルフクラブのグリップ用エヤクッション式スリーブに関するものである。
【背景技術】
【０００２】
生活レベルの向上に従って、国民がレジャー活動を重視し始め、各種類のレジャー活動において、ゴルフはどんどん庶民化になるので、国民の皆さんに愛されている。なお、ゴルフクラブの選択において、もっとも重要なのはグリップの滑り止め特性および振動吸収特性などであり、すなわち、使用者がボールを打撃する過程中に、力が大きすぎてもゴルフクラブが飛び出さなく、且つ打球するときに発生する反力を吸収するにより、使用者の手部がもっと快適になる。
【０００３】
一般のゴルフクラブは、滑り止め特性および振動吸収特性を向上するために、図３と図４に示すように、ゴルフシャフト３の上端にはグリップ３１が設けてあり、グリップ３１はゴムで作製されたものであり、且つグリップ３１の内部には嵌止孔３１１が開設してあり、前記嵌止孔３１１によりグリップ３１をゴルフシャフト３に嵌止し固定することができ、また、前記グリップ３１の外周には滑止め段３１２が形成してあり、そうすると、使用者が前記グリップ３１を握ってゴルフクラブによりボールを打撃するときに、前記グリップ３１はゴムで作製されたものであるので、握りの心地がもっと良くなり、且つ前記グリップ３１にある滑止め段３１２の設計により、使用者がボールを打撃する過程中に、力が大きすぎてもゴルフクラブが飛び出さない。
【考案の開示】
【考案が解決しようとする課題】
【０００４】
しかしながら、上記ゴルフクラブはグリップの設計により、滑り止め特性および振動吸収特性が向上するが、実際の使用中には、上記構成のグリップがゴルフシャフトの外周を包囲するので、打球するときにはゴムだけにより振動力を若干に吸収し、振動吸収効果が良くなかった。だから、使用者は打球するときに、反力による振動が使用者を不快適にし、さらに運動傷害になることもあった。
【課題を解決するための手段】
【０００５】
上記欠点を解決するためになされた本願の第１考案は、グリップ・スリーブの外周には多数の窪みが設けてあり、前記グリップ・スリーブの外周面には外周スリーブが設けてあり、前記外周スリーブの両端は前記グリップ・スリーブと相互に結合し固定されることにより、前記グリップ・スリーブと外周スリーブとの間にはエヤクッション構造が形成され、前記グリップは嵌め穴でゴルフシャフトと結合し、これにより、ボールを打撃するときに発生する反力による振動が吸収され、効果的な振動吸収機能を有することを特徴とするゴルフクラブのグリップ用エヤクッション式スリーブであることを要旨としている。
【０００６】
本願の第２考案では、前記グリップ・スリーブの外周にある各窪みは半円形の気泡状を呈することを特徴とする前記第１考案請求項１に記載のゴルフクラブのグリップ用エヤクッション式スリーブであることを要旨としている。
【０００７】
本願の第３考案では、前記グリップ・スリーブの各窪みは、外周スリーブの厚さによって、直径と深さとが変更されることを特徴とする前記第１考案に記載のゴルフクラブのグリップ用エヤクッション式スリーブであることを要旨としている。
【０００８】
本願の第４考案では、前記グリップ・スリーブは、環状溝部がそれぞれ上下に形成され、前記窪みが環状溝部の間に排列され、且つ環状溝部の外周には外周スリーブが嵌めてあり、二つの環状溝部の間には使用者の物差指と親指とが握るための支持リングが形成され、これにより、使用者はボールをもっと強力に打撃することができることを特徴とする前記第１考案に記載のゴルフクラブのグリップ用エヤクッション式スリーブであることを要旨としている。
【０００９】
本願の第５考案では、前記グリップ・スリーブの環状溝部の間に設けた各窪みは、半円形の気泡状を呈することを特徴とする前記第４考案に記載のゴルフクラブのグリップ用エヤクッション式スリーブであることを要旨としている。
【００１０】
本願の第６考案では、前記グリップ・スリーブの環状溝部の間に設けた各窪みは、外周スリーブの厚さによって、直径と深さとが変更されることを特徴とする前記第４考案に記載のゴルフクラブのグリップ用エヤクッション式スリーブであることを要旨としている。
【考案の効果】
【００１１】
本考案によれば、グリップ・スリーブの外周には多数の半円形の気泡状の窪みが設けてあり、且つ外周スリーブがグリップ・スリーブの外周を包囲することにより、エヤクッション構造が形成され、グリップの弾性がもっと強くなるので、使用者がグリップを握ってボールを打撃するときには心地がもっと良くなり、且つ振動吸収効果が良いので、打球するときに発生する振動が完全に吸収され、手部が痛くなくなり、且つグリップ・スリーブの重量が大幅に低減するので、打球がもっと楽になる。
【考案を実施するための最良の形態】
【００１２】
以下、添付図面を参照して本考案の好適な実施の形態を詳細に説明する。
【００１３】
まず、図１と図２を参照する。本考案は、主にグリップ・スリーブ１が設けてあり、前記グリップ・スリーブ１の外周には環状溝部１１がそれぞれ上下に形成され、二つのの間には支持リング１２が形成してあり、前記環状溝部１１では多数の半円形の気泡状の窪み１３が設けてあり、前記グリップ・スリーブ１の各窪み１３は、外周スリーブ１５の厚さによって、直径と深さとが変更され、且つ環状溝部１１の上下端には嵌止用環状溝１４が設けてあり、また、前記環状溝部１１に応じて外周スリーブ１５が設けてあり、前記外周スリーブ１５の上下端の内面には嵌止用環状溝１４と対応する嵌止用凸縁１６が設けてあり、これにより、外周スリーブ１５が環状溝部１１に嵌めることができ、且つ粘着剤により外周スリーブ１５の嵌止用凸縁１６を前記嵌止用環状溝１４に粘着し固定することにより、外周スリーブ１５の外周に滑止め部１７が形成され、また、グリップ・スリーブ１の軸心に開設した嵌め穴１８をゴルフ・シャフト２に嵌合して結合する。
【００１４】
そうすると、使用者が前記グリップ・スリーブ１を握ってゴルフクラブによりボールを打撃することができ、このとき、前記外周スリーブ１５の外周には滑止め部１７が形成してあるので、使用者はゴルフクラブをしっかりと握ることができ、且つ前記環状溝部１１の上下端にある嵌止用環状溝１４が外周スリーブ１５にある嵌止用凸縁１６と嵌合し粘着されたので、環状溝部１１と外周スリーブ１５との間にはエヤクッション構造が形成され、グリップの弾性がもっと強くなり、且つ振動吸収効果が良くなり、ゴルフクラブ全体の重量が低減になり、また、環状溝部１１の外周には外周スリーブ１５が嵌めてあり、二つの環状溝部１１の間には使用者の物差指と親指とが握るための支持リング１２が形成され、これにより、使用者はボールをもっと強力に打撃することができる。
【図面の簡単な説明】
【００１５】
【図１】本考案の分解斜視図である。
【図２】本考案の組合状態を示す断面図である。
【図３】従来のものの分解斜視図である。
【図４】従来のものの組合状態を示す断面図である。
【符号の説明】
【００１６】
１        グリップ・スリーブ          １１      環状溝部
１２      支持リング                  １３      窪み
１４      嵌止用環状溝                １５      外周スリーブ
１６      嵌止用凸縁                  １７      滑止め部
１８      嵌め穴                      ２        ゴルフシャフト
３        ゴルフシャフト              ３１      グリップ
３１１    嵌止孔                      ３１２    滑止め段
【図１】
0003109086.tif 000003
【図２】
0003109086.tif 000004
【図３】
0003109086.tif 000005
【図４】
0003109086.tif 000006